(57)【要約】 【目的】植物の幹とか葉の状況に応じて用いることができ、着脱の容易、迅速な輪かんを備えた添え木を提供する。【構成】多数の穴１ｄを設けた支柱１と、並列するすて棒部２ｂに複数設けて穴１ｄに選択的に嵌合する複数の突起部２ａ対をすて棒部２ｂに連続して弾力のある欠環状部２ｃを設けた輪かん２を用意する。突起部２ａ，２ａ間を欠環状部２ｃの弾力に抗して拡げて植木３の幹を囲むようにして支柱１に進め、突起部２ａ，２ａと穴１ｄを合せて欠環状部２ｃの弾力でこれらを嵌合する。【選択図】  図４
0003152804.tif 000002
【実用新案登録請求の範囲】
【請求項１】
先端が地表から土中に差し込み支持される棒状であって間隔をおいて長手方向に交叉する穴を多数設けた支柱と、
支柱の穴の両側の開口から夫々突入して該穴に嵌合する対向する突起部と、突起部の根本から突起部に交叉し並列するすて棒部と、各すて棒部の前記突起部とつながる部分とは反対の夫々の端部側に両端部がつながり植物を囲繞する欠環状部、とを一体的に有し、突起部間を欠環状部の弾力に抗して開くことが可能な輪かんと、
を有することを特徴とする添え木。
【請求項２】
支柱の穴は円穴であり、該穴を中心にして輪かんが傾動可能であることを特徴とする請求項１に記載の添え木。
【請求項３】
すて棒には欠環状部からの距離の異なる複数の対向する突起部が設けられている輪かんを備えた請求項１又は２に記載の添え木。
【請求項４】
長さの異なるすて棒部を有する複数の輪かんを備えた請求項１又は２に記載の添え木。
【請求項５】
支柱に設けた穴は長手方向において一つおきに同方向を向いていて交互に交叉していることを特徴とする請求項１から４の何れか１つに記載の添え木。
【考案の詳細な説明】
【技術分野】
【０００１】
この考案は土中に差し込み支持される支柱と、支柱に取り付けられ植物を支持する部材を備えた添え木に関する。
【背景技術】
【０００２】
苗木の状態から大きくなるまで植物を育てる際に、苗木が自立が難しいので添え木が使用されている。添え木を構成する要素は地表から土中に差し込まれた棒状の支柱と、支柱に結合され植物を支持する部材とがある。
【０００３】
支柱に関しても種々の提案があるが、支柱に結合して植物を支持するものとしては、１つはひもがある。ひもは支柱に対して強く結ぶと共に植物に対しては緩く結合する。他の１つは支柱に取り付けた帯状の部材で植物を抱きかかえる形のものがある。
【先行技術文献】
【特許文献】
【０００４】
特許文献１    実開平７−３９３７０号公報
特許文献２    特開平３−７２８２１号公報
特許文献３    特開２００３−１０２２８６号公報
特許文献４    特開２００５−３４１９２０号公報
【非特許文献】
【０００５】
なし
【考案の概要】
【考案が解決しようとする課題】
【０００６】
支柱にくくりつけたひもで植物を支持する特許分献１、２、３に示すものは、支柱にひもをくくりつける。そのひもを植物にくくりつけるという作業があるので手間がかかる。また、植物が添え木を必要としない時まで成長すると、ひもは除去しなければならない。このとき、支柱にくくりつけてある結び目は支柱の穴又は支柱に取り付けた部材の穴をとおして結んでいる。そのため、ひもを支柱から除去するのに手間がかかる。
【０００７】
特許文献４に示すものは支柱に嵌着した輪の端を可撓性の帯と支持バンドで植物を囲んでいる。そこで支柱に対して嵌着している部分が下ってしまうおそれがある。また、締め込んだ支持バンドを緩めるのは容易とはいえないことは周知されている（一般名結束バンドといわれていた周知の技術要素）。
【０００８】
この考案は支柱と植物を結んで植物を支持する部材が支柱に対してずれることがなく、支柱への着脱及び植物の支持を簡単に且つ素早くできる添え木を提供することを目的とする。
【０００９】
この考案は植物や幹とか葉の状況に応じて支柱から植物支持部分までの距離を選択可能な添え木を提供することを目的とする。
【課題を解決するための手段】
【００１０】
本出願に係る第1の考案は、先端が地表から土中に差し込み支持される棒状であって間隔をおいて長手方向に交叉する穴を多数設けた支柱と、
支柱の穴の両側の開口から夫々突入して該穴に嵌合する対向する突起部と、突起部の根本から突起部に交叉し並列するすて棒部と、各すて棒部の前記突起部とつながる部分と離れた夫々の端部側に両端部がつながり植物を囲繞する欠環状部、とを一体的に有し、突起部間を欠環状部の弾力に抗して開くことが可能な輪かんと、
を有することを特徴とする添え木である。
【００１１】
本出願に係る第２の考案は、支柱の穴は円穴であり、該穴を中心にして輪かんが傾動可能であることを特徴とする第１の考案に記載の添え木である。
【００１２】
本出願に係る第３の考案は、すて棒には欠環状部からの距離の異なる複数の対向する突起部が設けられている輪かんを備えた第１又は第２の考案に記載の添え木である。
【００１３】
本出願に係る第４の考案は、長さの異なるすて棒部を有する複数の輪かんを備えた第１又は第２の考案に記載の添え木である。
【００１４】
本出願に係る第５の考案は、支柱に設けた穴は長手方向において一つおきに同方向を向いていて交互に交叉していることを特徴とする請求項１から４の何れか１つに記載の添え木である。
【考案の効果】
【００１５】
この考案によれば、輪かんによる植物の保持と輪かんの支柱への取り付け取り外しが迅速に行うことが出来る。即ち、作業は輪かんを開いて植物の幹をまたがせて輪かんを弾力で支柱にはめ合わせるだけで、簡単に植物を保護できる。輪かんを取り外すときは輪かんを開いて植物の幹の側方を通して外すだけで取り外しが簡単である。輪かんの支柱への取付は輪かんの開閉という手作業のみであり迅速に行うことができる。輪かんは水平な面に対して傾けることができる。また組み込んでしまえば引張っても輪かんは支柱から外れることはない。輪かんの支柱の貫通穴を円穴としておくと輪かんを傾けることが出来るので植物の枝ぶりに適合することができる。突起部と欠環状部の中心との距離を選択できるので植物の色々は癖、枝ぶりに合せて対応できる。輪かんは植物を緩く囲むだけであるので、植物を傷める恐れがない。
【００１６】
長さの異なるすて棒を持つ輪かんを揃えておくと、上記複数対の突起部を備える輪かんと同効を奏する。
【００１７】
幹いれ処の欠環状部を大小とした輪かんを揃えておくと、適用できる植物の範囲が広い。輪かんはくり返し使用できるので省資源である。
【００１８】
支柱に設けた穴を長手方向において一つおきに同方向を向いて交互に交叉例えば直交させると、輪かんの方向を変えることができ植物の枝ぶりに対応し易くなる。
【図面の簡単な説明】
【００１９】
【図１】（ａ）は支柱の実施例の側面図、（ｂ）は（ａ）の水平断面図である。
【図２】他の実施例を示し、（ａ）は支柱の側面図、（ｂ）は（ａ）の水平断面図である。
【図３】輪かんの平面図である。
【図４】添え木の使用例を示す斜視図である。
【実施例】
【００２０】
以下、この考案の実施例を図面を用いて説明する。支柱１は先端１ａが地表から土中に差し込まれる棒状である。先端１ａは円錐形状であり、円錐形状の大端部から上方に向って丸棒の胴部１ｂがある。胴部１ｂの上端には２面幅としたつまみ１ｃを備える。図１、図２に示すようにつまみ１ｃは丸形である。胴部１ｂには等間隔をおいて長手方向に交叉する穴１ｄを多数設けてある。本例では穴１ｄは図１に示すように２０箇所又は図２に示すように１０個所である。穴１ｄは丸穴である。
【００２１】
図１においては支柱１の穴１ｄは等間隔で支柱１の長手方向に交互に交叉する方向例えば直交する方向に設けてある。図１のようにすると後述する輪かん２の方向を異なる方向に選択できるので植物の枝ぶりに対応して適当な位置に輪かん２を配することができる。
【００２２】
図２においては支柱１の穴１ｄは等間隔で支柱１の長手方向に設けてある。
支柱１の穴１ｄの間隔、方向等の配列は種々のものを採用可能である。
【００２３】
上記において穴１ｄは貫通穴でもよく、図示されないが底部材でもって有底でもよい。即ち、穴１ｄは支柱１の直径をわたる両側に開口１ｅを夫々有する。ここで、支柱１は硬質塩化ビニール製である。
【００２４】
図３は支柱１に輪かん２を取り付けた状態を示す平面図である。輪かん２は支柱１の穴１ｄの両側の開口１ｅから夫々突入して穴１ｄに嵌合する二つの対向する突起部２ａと、二つの突起部２ａの根本から突起部２ａに交叉し並列するすて棒部２ｂと、各すて棒部２ｂの突起部２ａとつながる部分とは反対側の端部側に両端がつながり並列するすて棒部２ｂ間の間隔ｗ１よりも大きな対向間隔ｗ２を有する欠環状部２ｃとを一体に有する。
【００２５】
ここで本例では突起部２ａは穴１ｄに丁度嵌合する短い丸棒状であって先端は丸めるか又は截円錐形である。すて棒部２ｂは直線状の丸棒である。図３に示すようにすて棒部２ｂには複数の突起部２ａ，２ａ対が設けてある。本例の突起部２ａは４対であり、夫々の対は欠環状部２ｃの中心から夫々異なる距離にある。欠環状部２ｃはすて棒部２ｂと同直径の丸棒を環状としたものである。少なくとも欠環状部２ｃが断面丸棒であることにより、欠環状部２ｃを挿通する幹又は枝がゆさぶられても、幹又は枝をいためる恐れは小さい。
【００２６】
図３に示すように、穴１ｄに突起部２ａが嵌入した際は支柱１の外周にすて棒部２ｂが接している。そして、二つの対向する突起部２ａの先端は互に離れている。ここで、支柱１の外周にすて棒部２ｂを接するには例えば二つの突起部２ａと２ａを先端側で連続させてすて棒部２ｂと欠環状部２ｃと一体の閉じた図形の部材に成形した後に、突起部２ａ，２ａ間を切断してもよい。ここで輪かん２は硬質塩化ビニール製である。
【００２７】
上記のように構成してあるため、添え木の施工は、植木３の傍らに支柱１を立てる。その際に、植物３側から見て支柱１の側面（図１（ａ）参照）が見えるようにする。このとき、つまみ１ｃがあるため、つまみ１ｃを指でもって支柱１の穴１ｄの方向を植物３に直交する所望の方向に容易に回せる。そして、支柱１の先端１ａ側を土中に差し込む。
【００２８】
次にすて棒部２ｂ，２ｂ間を欠環状部２ｃの弾力に抗して手で拡げると突起部２ａ，２ａ間が遠のく、この状態で植木３の幹又は枝の両側で突起部２ａ，２ａを移動して植木３の幹又は枝が欠環状部２ｃ内に来るようにする。そして、突起部２ａ，２ａを穴１ｄの開口１ｅ，１ｅに合せて手をゆるめると、突起部２ａ，２ａは欠環状部２ｃの復元力で互に近寄り、開口１ｅ，１ｅを通じて穴１ｄに嵌合する。そして、すて棒部２ｂ，２ｂは支柱１の外周を加圧する。
【００２９】
支柱１から輪かん２を外すには、欠環状部２ｃの弾力に抗してすて棒部２ｂ，２ｂ間を手で遠ざけると、突起部２ａ，２ａは支柱１の穴１ｄからぬける。更に、突起部２ａ，２ａ間を植木３を通過できるまで引き離した後は、そのまま、手前（図３において下方）に向って引くと、輪かん２は支柱１、植木３から引き離される。
【００３０】
同様にして、複数の例えば３個の輪かん２を支柱１の上下にわたって穴１ｄ，１ｄに夫々嵌合して植木３を上中下の三個所で支持できる。このとき、植木３の幹又は枝に輪かん２の中心が来たときに支柱１の穴１ｄに近い突起部２ａ，２ａを穴１ｄの開口１ｅ，１ｅに合せるようにして、輪かん２を支柱１に取り付ける。
【００３１】
すて棒部２ｂ，２ｂは図３に示すように支柱１に輪かん２を取り付けた状態で平行としてあるが、支柱１の両側に並列していればよい。すて棒部２ｂ，２ｂ並列の仕方も左右対称に限る訳ではない。すて棒部２ｂは本例は直線であるが曲っていてもよい。即ち、すて棒部２ｂは突起部２ａに交叉して突起部２ａとのつながり位置から欠環状部２ｃのある側に向って延出されていればよい。
【００３２】
欠環状部２ｃは本例では円環の一部を欠いた形状または円環の一個所に切目を入れた形状（図示されない）である。そのため、植木３の枝、幹を保護するのに欠環状部２ｃの長さが短く材料に無駄がない。なお、欠環状部２ｃは円環の一部を欠いた形状にかかわらず、方形の環状、長円等の一部を欠いた形状でもよい。
【００３３】
すて棒部２ｂに欠環状部２ｃの中心から異なる距離に複数の突起部２ａ対を設けてあるので、突起部２ａ対を選択して植物の色々な癖、枝状にあわせられて対応できる。
【００３４】
輪かん２の欠環状部２ｃは断面が丸棒状で平面図形が円の大部分とされていると植物に傷がつかないし、穴１ｄを丸穴とすると支柱１に嵌め込まれても突起部２ａ，２ａを中心にして上下に欠環状部２ｃが動けるので植物にとっても強くふれ難い。
【００３５】
実用例としてミリメートルで支柱１は直径１３、長さ６００から１５００、穴１ｄの間隔２０、穴１ｄの直径５、輪かん２は各部断面は夫々が円形で直径５、欠環状部２ｃは内径が３３、外径が４３、複数の突起部２ａ対間の間隔２０である。
【００３６】
上述しましたようにこの考案の実施例によれば、先端１ａが地表から土中に差し込み支持される棒状であって間隔をおいて長手方向に交叉する穴１ｄを多数設けた支柱１と、支柱１の穴１ｄの両側の開口１ｅから夫々突入して該穴１ｄに嵌合する二つの突起部２ａと、二つの突起部２ａの根本から突起部２ａに交叉し並列するすて棒部２ｂと、各すて棒部２ｂの突起部２ａとつながる部分とは反対の夫々の端部側に両端がつながり植物３を囲繞する欠環状部２ｃ、とを一体的に有し、二つの突起部２ａ間を欠環状部２ｃの弾力に抗して開くことが可能な輪かん２と、を有する添え木としたことにより、輪かんを拡げて植物を囲んで輪かんの先端部を支柱の穴に嵌合するだけで簡単迅速な作業で植物を支持できる。支柱の穴は多数あるので最適な植物を支持する位置を選択して輪かんを位置づける事ができる。輪かんは欠環状部と複数の突起部対があるので、植物の幹とか葉の状況に応じて突起部対を選んで、欠環状部を植物を支持するのに適する位置にセットできる。
【００３７】
輪かんの取り外しはすて棒部間を拡げ突起部を支柱の穴から引き抜き、更に突起部間を拡げて突起部を植物の傍を通過させるというだけで簡単である。
【００３８】
支柱の穴を円穴としたことにより、輪かんは丸穴を中心に回動して水平にしたり、上向き又は下向きに傾けることができる。
【００３９】
輪かんは植物を抱く欠環状部の材料断面が円形であることにより、欠環状部が植物に接したとしても植物を傷つけることがない。
【００４０】
一対の突起部を有し、長さの異なるすて棒部を有する複数の輪かんを備えた場合は、すて棒部に複数の突起を備えた場合と同様に植物の幹と支柱間の距離に応じて適当な位置に欠環状部が来るように選択可能である。
【００４１】
実施例は欠環状部の大きさが一定の場合をのべたが幹入れ処となる欠環状部は植物の幹の大きさに応じて変えられるように欠環状部の直径の異なる輪かんを用意しておくことにより種々の植物に対応できる添え木を提供できる。
【００４２】
輪かんはくり返し使用できるので省資源である。そして輪かんは形状からして束ねて小さく格納できる。
【符号の説明】
【００４３】
１…支柱  １ａ…先端  １ｂ…胴部  １ｃ…つまみ  １ｄ…穴  １ｅ…開口
２…輪かん  ２ａ…突起部  ２ｂ…すて棒部  ２ｃ…欠環状部  ２ｄ…穴  
３…植木  
ｗ１，ｗ２…間隔
【図１】
0003152804.tif 000003
【図２】
0003152804.tif 000004
【図３】
0003152804.tif 000005
【図４】
0003152804.tif 000006